(57)【要約】【課題】  本発明は、電気設備監視のための端末設定情報の設定作業の作業性向上を行える監視・計測装置を提供する事を目的とする。【解決手段】  本発明に係る監視・計測装置１は、前記電気設備の機器情報３を記憶する情報管理手段２から前記機器情報２を取得する通信手段５と、前記電気設備の状態又は電気的情報の計測値に関する設定項目又は設定値に関する設定テンプレート８と前記通信手段５により取得した前記機器情報３とに基づいて端末設定情報９を作成する設定処理部６と、前記端末設定情報９を記憶するデータ保存部７とを備え、前記データ保存部７に記憶された前記端末設定情報９に基づいて、前記電気設備の状態又は電気的情報の計測値を監視することを特徴とする。【選択図】図１
2011221904.tif 000002
【特許請求の範囲】
【請求項１】
電気設備の状態又は電気的情報の計測値を監視する監視・計測装置において、
前記電気設備の情報管理手段から前記電気設備の機器情報を取得する通信手段と、
前記電気設備の前記機器情報毎に設定すべき設定項目及び設定値を定めた設定テンプレートを記憶するデータ保存手段と、
前記データ保存手段に記憶された前記設定テンプレートの複数の設定項目及び設定値の中から前記通信手段により取得した前記機器情報に対応する設定項目及び設定値を選択し、当該選択した設定項目及び設定値に基づいて端末設定情報を作成する設定処理手段とを備え、
前記設定処理手段にて作成された前記端末設定情報に基づいて、前記電気設備の状態又は電気的情報の計測値を監視することを特徴とする監視・計測装置。
【請求項２】
前記設定テンプレートは、前記監視・計測装置外部の記憶媒体に記憶されており、
前記記憶媒体から前記設定テンプレートを取得し、前記設定処理手段へ取得した前記設定テンプレートを出力する第１の通信処理手段を備えることを特徴とする請求項１記載の監視・計測装置。
【請求項３】
前記機器情報は暗号化されて前記情報管理手段に保存されており、
前記通信手段は、前記情報管理手段から前記暗号化された機器情報を取得し、
更に、前記通信手段によって取得された前記暗号化された機器情報を復号化し、前記設定処理部へ出力する復号処理部を備えることを特徴とする請求項１記載の監視・計測装置。
【請求項４】
前記通信手段は、無線通信にて前記情報管理手段から前記機器情報を取得することを特徴とする請求項１記載の監視・計測装置。
【請求項５】
前記設定処理部により作成された前記端末設定情報を、前記監視・計測装置外部に設置されたサーバに送信する第２の通信処理手段を備えることを特徴とする請求項１記載の監視・計測装置。
【発明の詳細な説明】
【技術分野】
【０００１】
本発明は、例えば電力系統に設置された電気設備の状態や電気的情報の計測値の監視を行う監視・計測装置に関する。
【背景技術】
【０００２】
監視・計測装置とは、電力系統に設置された電気設備の状態や電気的情報の計測値の監視を行い、その監視結果及び監視結果が事前に整定された端末設定情報により定められた設定範囲内に無い場合に、その旨を示す警報等をサーバ等に送信する装置であり、この監視結果を受信したサーバにクライアントがアクセスすることで監視結果を取得することが可能である。
【０００３】
しかし、上述した監視・計測装置の交換を行う場合や事前に整定される端末設定情報により定められた設定範囲の変更を行う場合は、設置される電力系統や取得したい電気的情報に適応した端末設定情報の設定を、人間系による手入力で行う必要がある。しかし、人間系による手入力での端末設定情報の設定は、作業者の負担増大や設定変更の誤りなどが生じる可能性が大きいことや、設定用にＰＣ等の設定用装置を持参する必要があるという問題があった。
【０００４】
この課題を解決する方法として、特許文献１に示す方法がある。この計算機初期化システムは、初期化対象計算機に計算機IDを持たせておき、計算機IDと作業データに基づいて初期化データを生成し、初期化データを初期化対象計算機に転送することで、計算機に応じた初期化作業を行うことを可能としている。
【先行技術文献】
【特許文献】
【０００５】
【特許文献１】特開２００８−２１７４０９号公報
【発明の概要】
【発明が解決しようとする課題】
【０００６】
上述した特許文献１の計算機初期化システムでは、初期化に必要な端末設定情報を全て入力する必要があり、例えば、端末設定情報の中にメーカー用データなどのユーザへ開示されていないデータを要する場合や、全ての設定を予め決めることが難しい場合に使用できない。また、計算機ＩＤ及び作業データが記憶された記憶媒体を対象計算機の設置場所に置き、設置時にこの記憶媒体を利用する場合に、記憶された端末設定情報の情報更新や新規設定項目の追加に対応できないなどの課題がある。
【０００７】
本発明は、電気設備の監視のための端末設定情報の設定作業の作業性向上を可能とした監視・計測装置を提供する事を目的とする。
【課題を解決するための手段】
【０００８】
本発明に係る監視・計測装置は、前記電気設備の情報管理手段から前記電気設備の機器情報を取得する通信手段と、前記電気設備の前記機器情報毎に設定すべき設定項目及び設定値を定めた設定テンプレートを記憶するデータ保存手段と、前記データ保存手段に記憶された前記設定テンプレートの複数の設定項目及び設定値の中から前記通信手段により取得した前記機器情報に対応する設定項目及び設定値を選択し、当該選択した設定項目及び設定値に基づいて端末設定情報を作成する設定処理手段とを備え、前記設定処理手段にて作成された前記端末設定情報に基づいて、前記電気設備の状態又は電気的情報の計測値を監視することを特徴とする。
【発明の効果】
【０００９】
本発明によれば、電気設備の監視のための端末設定情報の設定作業の作業性向上を可能としたる監視・計測装置を提供することが出来る。
【図面の簡単な説明】
【００１０】
【図１】本発明に係る監視・計測装置の第１の実施形態における構成を示す図。
【図２】本発明に係る監視・計測装置の第１の実施形態における機器情報の一例を示す図。
【図３】本発明に係る監視・計測装置の第１の実施形態における設定テンプレートの一例を示す図。
【図４】本発明に係る監視・計測装置の第１の実施形態における端末設定情報の一例を示す図。
【図５】本発明に係る監視・計測装置の第１の実施形態における機器情報の一例を示す図。
【図６】本発明に係る監視・計測装置の第１の実施形態における端末設定情報の一例を示す図。
【図７】本発明に係る監視・計測装置の第２の実施形態における構成を示す図。
【図８】本発明に係る監視・計測装置の第３の実施形態における構成を示す図。
【図９】本発明に係る監視・計測装置の第４の実施形態における構成を示す図。
【発明を実施するための形態】
【００１１】
本発明に係る監視・計測装置の実施形態について図面を参照して説明する。
【００１２】
（第１の実施形態）
本発明の第1の実施形態の構成について、図１を参照して説明する。図１は、本実施形態の監視・計測装置の構成を示した図である。監視対象１は機器情報３を記憶する情報管理部２を備えている。監視・計測装置４は通信部５と、設定処理部６と、設定テンプレート８及び端末設定情報９を記憶するデータ保存部７とを備えている。データ保存部７に記憶される端末設定情報９は、監視対象１の監視のための設定値に関する情報である。端末設定情報９は、監視・計測端末４により監視対象１の監視が開始される前に、事前に、設定処理部６により作成され、データ保存部７に記憶される。
【００１３】
次に、本実施形態の作用について説明する。本実施形態では、監視・計測装置４を新たに設置する場合、或いは、設置されていた古い監視・計測装置４を新しいものに交換する場合、又は、現在設置している監視・計測装置４のデータ保存部７に記憶されている端末設定情報９を変更する場合に、以下のような動作を行う。監視・計測装置４の設定処理部６は、通信手段５を介して、監視対象１の情報管理部２に記憶されている機器情報３を取得する。さらに、設定処理部６は、データ保存部７に記憶されている設定テンプレート８を取得し、機器情報３と設定テンプレート８に基づいて端末設定情報９を作成し、データ保存部７に出力する。データ保存部７は、設定処理部６から出力された端末設定情報９を記憶する。
【００１４】
さらに設定処理部６の動作について、図２乃至図４を参照して説明する。図２は、監視対象１の情報管理部２に記憶されている機器情報３の一例である。機器情報３は、監視対象１の監視・測定のための端末設定情報を作成する際に使用する情報である。機器情報３には、監視対象１や監視・計測装置４の基本情報や用途に関する固定情報や、監視対象１における監視・計測装置特有の設定に関する可変情報などを含む。図２では、機器情報３として、監視対象１に固有の情報で且つ変更されることのない固定された情報である固定情報と、監視・測定を行う際に使用される情報で且つ変更される可能性のある情報である可変情報を記憶している。ここでは、固定情報として、監視対象１の種別（例えば、「配電盤」）と、定格電圧の電圧階級（例えば、「高圧」）に関する情報を記憶している。可変情報として、監視・計測を実施する項目パターンを示す監視種別（例えば、「Ａ」）や、各項目の判定基準に関する情報を記憶している。
【００１５】
図３は、データ保存部７に記憶された設定テンプレート８の一例である。設定テンプレート８として、監視・計測装置４が監視対象１の監視・計測を行う際に必要となる設定項目を示す設定項目テーブル、及び、設定値を示す設定値テーブルを記憶している。
【００１６】
ここでは、設定項目テーブルとして、監視種別が「Ａ」の場合に設定する設定項目と、監視種別が「Ｂ」の場合に設定する設定項目を記憶している。監視種別が「Ａ」では設定項目１〜３の３つの設定項目を設定することを示している。監視種別が「Ｂ」では設定項目１及び３の２つの設定項目を設定することを示している。設定値テーブルとしては、電圧階級が「低圧」の場合に設定する設定値と電圧階級が「高圧」の場合に設定する設定値を記憶している。電圧階級が「低圧」では、設定項目１は「１」、設定項目２は「５０」、設定項目３は「１００」を夫々の設定項目に対する設定値として設定することを示している。電圧階級が「高圧」では、設定項目１は「５」、設定項目２は「１００」、設定項目３は「２００」を夫々の設定項目に対する設定値として設定することを示している。
【００１７】
なお、設定項目テーブルには、監視対象１として想定される電気設備の複数の監視種別の各々について、設定すべき設定項目が予め記憶されている。同様に、設定値テーブルには、監視対象１として想定される電気設備の複数の電圧階級の各々について、設定すべき設定値が予め記憶されている。
【００１８】
ここで、監視・計測装置４を新たに設置する場合、或いは、設置されていた古い監視・計測装置４を新しいものに交換する場合、新たに設置される監視・計測装置４のデータ保存部７には、監視対象１を監視・計測するための端末設定情報９が記憶されていないため、新たに端末設定情報９を設定する作業が必要となる。
【００１９】
この場合、新たな監視・計測装置４を設置した後、監視・計測装置４に対して、ユーザから、端末設定情報９の設定指示が行われる。ユーザから設定指示が行われると、設定処理部６は、通信部５を介して監視対象１から機器情報３を取得する。このとき、図２に示すように、機器情報３の固定情報は、電圧階級として「高圧」を示しており、可変情報は、監視種別として「Ａ」を示している。このため、設定処理部６は、機器情報３の固定情報で示される電圧階級の「高圧」に基づき、設定テンプレート８の設定値テーブルの電圧階級「高圧」に対応する設定値を選択する。また、設定処理部６は、機器情報３の可変情報で示される監視種別「Ａ」に基づき、設定テンプレート８の設定項目テーブルの監視種別「Ａ」に対応する設定項目１、２、３を選択する。この結果、設定処理部６は、図４に示すように、端末設定情報９として、設定項目１、設定項目２、設定項目３を設定項目とし、且つ、それぞれの設定項目の設定値を「５」、「１００」、「２００」として設定する。設定処理部６は、設定した端末設定情報９をデータ保存部８に出力し、監視対象１の監視・計測のための端末設定情報９としてデータ保存部８に記憶させる。
【００２０】
また、例えば設定項目２に対して設定する設定値として、設定値テーブルに記載された値「１００」と異なる値「６０」を設定する場合は、図５に示すように、監視対象１の情報管理部２に、機器情報３の可変情報として、「設定項目２」に対して設定値「６０」を設定することを示す情報を予め記憶させておく。このように監視対象１の情報管理部２に記憶された機器情報３の中に個別の設定項目の設定値が含まれる場合、設定処理部６は、設定テンプレート８の設定値テーブルに記憶されている設定値を設定せず、機器情報３の中に含まれている設定値を該当する設定項目に対する設定値として設定する。この結果、設定処理部６により、図６に示すように設定項目２のみ設定テンプレート８の設定値テーブルに記憶された値と異なる設定値の設定された端末設定情報９が設定される。
【００２１】
本実施形態によれば、情報管理部２に全ての機器情報３を記憶できない場合や、全ての設定を予め決めることが出来ない場合でも、監視・計測装置４の端末設定情報の設定作業を自動化することが可能であり、端末設定情報の設定作業の作業性向上を行える。また、監視対象１の情報管理部２に機器情報３が記憶されていることにより、監視対象１が設置された場所で、監視・計測装置４の端末設定情報の設定が可能となる。
【００２２】
尚、本実施形態では設定テンプレート８を使用することにより、機器情報３に記憶される情報量が少ないため、情報管理部２に無線タグやＩＣタグ等を使用することが可能である。無線タグやＩＣタグ等の無線通信部を用いることによりで無線通信が可能となり、監視対象１と監視・計測装置４を有線にて接続する作業が必要なく、さらなる自動化が可能であり、端末設定情報の設定作業の作業性向上が可能である。
【００２３】
（第２の実施形態）
本発明の第２の実施形態について図７を参照して説明する。第１の実施形態と同一の構成には同一の符号を付し、説明は省略する。
【００２４】
図７は、本実施形態の監視・計測装置の構成を示した図である。本実施形態が第１の実施形態と異なる点は、監視・計測装置４のデータ保存部８に記憶していた設定テンプレート８を外部の記憶媒体１１に記憶し、記憶媒体１１と通信を行う通信処理部１２を監視・計測装置４に追加している点である。
【００２５】
上述した構成とすることで、監視・計測装置４が通信処理部１２により記憶媒体１１と通信を行い、記憶媒体１１に記憶された設定テンプレート８を取得する。その他の作用については、第１の実施形態と同様であるため、説明は省略する。
【００２６】
本実施形態によれば、第１の実施形態の効果に加え、監視・計測装置４のデータ保存部７の記憶容量を抑えることが可能である。また、外部記憶媒体１１から設定テンプレート８の取り込みを可能とすることで、設定テンプレート８の内容の更新や新規追加に容易に対応することができる。
【００２７】
尚、記憶媒体１１としては、ＵＳＢメモリや外付けハードディスク、遠隔サーバ等を使用し、通信処理部１２としては、ＲＳ４８５などのシリアル通信やＥｔｈｅｒｎｅｔ（登録商標）、無線タグなどの無線通信等を用いても同様の効果を得ることが可能である。
【００２８】
（第３の実施形態）
本発明の第３の実施形態について図８を参照して説明する。第１の実施形態と同一の構成には同一の符号を付し、説明は省略する。
【００２９】
図８は、本実施形態の監視・計測装置の構成を示した図である。本実施形態が第１の実施形態と異なる点は、監視対象１の情報管理部２に機器情報３を記憶する代わりに暗号化機器情報３´を記憶したこと、及び、監視・計測装置４に復号処理部２１を追加した点である。
【００３０】
暗号化機器情報３´は、第１乃至３の実施形態において情報管理部２に記憶していた機器情報を暗号化したものである。復号処理部２１は、通信手段５を介して取得した暗号化機器情報３´を復号処理し、機器情報３を取得し、取得した機器情報３を設定処理部６に受け渡している。その他の作用については、第１の実施形態と同様であるため、説明は省略する。
【００３１】
本実施形態によれば、第１の実施形態の効果に加え、機器情報を暗号化することによって、監視・計測装置のセキュリティを高めることが可能である。
【００３２】
尚、機器情報の暗号化方式としては、情報の暗号化・復号化に単一の鍵（共有鍵）を使用する共有鍵暗号方式や、暗号化と復号化に異なる鍵のペアを用いる公開鍵暗号方式等を使用しても同様の効果を得ることができる。共有鍵暗号方式の場合は、監視・計測装置４に予め共有鍵を定義しておくか、新たに設けた入力部によりユーザが入力した共有鍵を利用できる。
【００３３】
（第４の実施形態）
本発明の第４の実施形態について図９を参照して説明する。第１の実施形態と同一の構成には同一の符号を付し、説明は省略する。
【００３４】
図９は、本実施形態の監視・計測装置の構成を示した図である。本実施形態が第１の実施形態と異なる点は、監視・計測装置４にサーバ３２との通信を行う通信処理部３１を追加した点である。
【００３５】
監視・計測装置４は、機器情報３と設定テンプレート８を基に設定処理部６により設定を行い、通信処理部３１を介してサーバ３２と通信を行い、サーバ３２に対して、監視・計測装置４の設定変更の通知や端末設定情報９の通知を行う。
【００３６】
本実施形態によれば、第１の実施形態の効果に加え、監視・計測装置４に対する設定変更作業の実施及び設定変更作業後の端末設定情報９がサーバ４３に通知されるため、サーバ３２と監視・計測装置４の間で端末設定情報９の無矛盾性を確保すると共に、サーバ３２による複数の監視・計測装置４の一元管理が可能となる。
【符号の説明】
【００３７】
１…監視対象
２…情報管理部
３…機器情報
３´…暗号化機器情報
４…監視・計測装置
５…通信部
６…設定処理部
７…データ保存部
８…設定テンプレート
９…端末設定情報
１１…記憶媒体
１２…通信処理部
２１…復号処理部
３１…通信処理部
３２…サーバ
【図１】
2011221904.tif 000003
【図２】
2011221904.tif 000004
【図３】
2011221904.tif 000005
【図４】
2011221904.tif 000006
【図５】
2011221904.tif 000007
【図６】
2011221904.tif 000008
【図７】
2011221904.tif 000009
【図８】
2011221904.tif 000010
【図９】
2011221904.tif 000011